(57)【要約】【課題】  ホース長を短くすることが可能でホースのメンテナンスを容易とする結露回収具を提供する。【解決手段】  シートが定着される開口部巾狭の蟻溝フレーム１，２同士を接続しシートＳの結露水を回収する結露回収具Ｋにおいて、一方の蟻溝フレーム１の端部を抱持する第１抱持部１１と、他方の蟻溝フレーム２を抱持する第２抱持部１２と、第１抱持部１１と第２抱持部１２とを連結する樋１３と、樋１３から延設されるホースＨを接続するソケット１４と、を備えてなることを特徴とする。【選択図】      図１
2005124523.tif 000002
【特許請求の範囲】
【請求項１】
シートが定着される開口部巾狭の蟻溝フレーム同士を接続しシートの結露水を回収する結露回収具において、一方の蟻溝フレームの端部を抱持する第１抱持部と、他方の蟻溝フレームを抱持する第２抱持部と、第１抱持部と第２抱持部とを連結する樋と、樋から延設されるホースを接続するソケットと、を備えてなることを特徴とする結露回収具。
【請求項２】
第１抱持部および第２抱持部は、それぞれ、水平底部と、蟻溝フレームの側部を挟持する一対の側壁とを備えていることを特徴とする請求項１に記載の結露回収具。
【請求項３】
第１抱持部もしくは第２抱持部もしくはその両方における一対の側壁のうち、少なくとも一方の側壁の先端を外方へ向けて彎曲させたことを特徴とする請求項２に記載の結露回収具。
【請求項４】
ソケットが、断面略半円状もしくは断面略Ｕ字状の半円筒形のソケット本体と、ソケット本体の軸方向に沿う２つ縁部にそれぞれ少なくとも１つ以上の切欠を設けたことを特徴とする請求項１から３のいずれかに記載の結露回収具。
【請求項５】
樋にホースを把持する把持部を設けたことを特徴とする請求項１から４のいずれかに記載の結露回収具。
【発明の詳細な説明】
【技術分野】
【０００１】
本発明は、植物を育成する温室たるパイプハウスに展張したシートの結露を回収する結露回収具の改良に関する。
【背景技術】
【０００２】
一般に植物を育成するパイプハウスにあっては、たとえば、アーチ状パイプに透明または半透明な合成樹脂シートを屋根面、側面または妻面に展張する必要がある。
【０００３】
そして、上記シートのパイプハウスへの固定に際しては、開口部巾狭の蟻溝フレームを用い、この蟻溝フレーム内にシートを挿入し、シートを弾性な波形の係止線条で蟻溝フレームの側部内周側に押圧するとしている。
【０００４】
上述のようにシートはパイプハウスに固定されるが、パイプハウス内の温度は外気温とかなりの温度差があり、シートのパイプハウス内側の面には、結露した水滴が附着する場合がある。この水滴が、パイプハウス内の土壌に落下すると植物の根腐され、病気、成育不良、品質不良の原因となるので、水滴が落下する前にこれを回収してパイプハウス外に排出する必要がある。
【０００５】
そこで、この結露を回収する為、蟻溝フレーム間に取付けられる結露回収具の提案がなされており、この結露回収具は、シートを定着する第１の蟻溝フレームに結露回収用の第２の蟻溝フレームを結合したもの同士を接続できるように、第２の蟻溝フレームを抱持する第１フレームと、上記抱持部から延設され第１の蟻溝フレームを抱持する第２フレームと、上記第１および第２フレームの中央であって軸方向に対し垂直に設けた結露排水路と、結露排水路から延設されるホースを接続するソケットを備えている（例えば、特許文献１参照）。
【特許文献１】特開平８−３０８３９４号公報（段落番号００１９から００４３まで，図２）
【発明の開示】
【発明が解決しようとする課題】
【０００６】
上記従来の結露回収具は、シートのパイプハウス内側の結露を回収できる点で非常に優れている。しかしながら、以下の弊害があると指摘される可能性がある。
【０００７】
すなわち、従来の結露回収具では、結露回収具が回収した結露は当該結露回収具に接続されたホースによりパイプハウス外へ排水されることとなるが、シート定着装置が複数縦方向に並列配置される場合にあっては、結露回収具もシート定着装置の列毎に複数設けられることとなる。
【０００８】
この場合、従来の結露回収具はフレームを２つ並行に繋ぎ合わせた形状をしており、ホースを介して個々の結露回収具を互いに接続することはできず、したがって、結露回収具毎にパイプハウス外まで伸びるホースを取付けざるを得ず、その結果、トータルのホース長が長くなるので不経済であるとともに、ホース長が長くなるので、ホースのメンテナンスも煩雑となる。
【０００９】
そこで、本発明の目的は、ホース長を短くすることが可能でホースのメンテナンスを容易とする結露回収具を提供することである。
【課題を解決するための手段】
【００１０】
本発明の第１の課題解決手段における結露回収具は、シートが定着される開口部巾狭の蟻溝フレーム同士を接続しシートの結露水を回収する結露回収具において、一方の蟻溝フレームの端部を抱持する第１抱持部と、他方の蟻溝フレームを抱持する第２抱持部と、第１抱持部と第２抱持部とを連結する樋と、樋から延設されるホースを接続するソケットと、を備えてなることを特徴とする。
【００１１】
第２の課題解決手段における結露回収具は、第１の課題解決手段において、第１抱持部および第２抱持部は、それぞれ、水平底部と、蟻溝フレームの側部を挟持する一対の側壁とを備えていることを特徴とする。
【００１２】
第３の課題解決手段における結露回収具は、第２の課題解決手段において、第１抱持部もしくは第２抱持部もしくはその両方における一対の側壁のうち、少なくとも一方の側壁の先端を外方へ向けて彎曲させたことを特徴とする。
【００１３】
第４の課題解決手段における結露回収具は、第１から第３のいずれかの課題解決手段において、ソケットが、断面略半円状もしくは断面略Ｕ字状の半円筒形のソケット本体と、ソケット本体の軸方向に沿う２つ縁部にそれぞれ少なくとも１つ以上の切欠を設けたことを特徴とする。
【００１４】
第５の課題解決手段における結露回収具は、第１から第４のいずれかの課題解決手段において、樋にホースを把持する把持部を設けたことを特徴とする。
【発明の効果】
【００１５】
各請求項の発明によれば、結露水は結露回収具を介してパイプハウス外へ排出されるので、パイプハウス内に結露した水滴や雨水が落下することが無いので、植物の健全な育成が可能となる。
【００１６】
また、蟻溝フレームが複数縦方向に並列配置される場合に、下側の蟻溝フレームの列に取付けられる結露回収具の樋内に、上側の蟻溝フレームの列に取付けられる結露回収具に接続されたホースを導入することができる。したがって、トータルのホース長は、上側に配置される結露回収具からパイプハウス外までの長さで足りることとなる。
【００１７】
すなわち、従来の結露回収具よりトータルのホース長は短くて済むこととなる。したがって、結露回収具毎にパイプハウス外まで伸びるホースを取付けざるを得ない従来の結露回収具に比較して、トータルのホース長が短くなるので、経済であるとともに、ホース長が短くなり、さらに、ホースに損傷があって交換の必要があっても、その部分のホースを交換するだけで済むので、ホースのメンテナンス性が向上し、交換に伴うホース長も短くて済むから経済的である。
【００１８】
請求項２の発明によれば、第１抱持部、第２抱持部は、それぞれ、一対の側壁を備えているので、これら一対の側壁で蟻溝フレームを挟持することができ、これにより、結露回収具を強固に蟻溝フレームに固定することが可能となる。
【００１９】
請求項３の発明によれば、また、一方の側壁の上端が彎曲されており、第１抱持部内および第２抱持部内に蟻溝フレームをスムーズに挿入することができるので、結露回収具を蟻溝フレームの側方から挿入することにより接続していた従来の結露回収具に比較して、ワンタッチで結露回収具を取付けることができ、その取付が容易となり、また、従来の結露回収具では、あらかじめ、上記取付方法を採らなくてはならず、結露回収具を蟻溝フレームに接続した状態でパイプハウスを組み立てなくてはならなかったが、本実施の形態の結露回収具Ｋにおいては、パイプハウス組立後にも簡易に結露回収具を取付けることが可能となり、作業者の負担も軽減され、さらに、すでに組みつけられた蟻溝フレームの任意の部位を切除してその部位に結露回収具Ｋを取付けることも可能となり、パイプハウスの形状、設置場所による結露状況に適した位置に結露回収具を設置することができる。すなわち、利便性が飛躍的に向上するのである。
【００２０】
請求項４の発明によれば、切欠がホース内周に係合するので、ホースのソケットからの脱落が防止され、ホースを確実に結露回収具に接続した状態に保つことが可能である。
【００２１】
請求項５の発明によれば、蟻溝フレームが複数縦方向に並列配置され、それぞれの列に結露回収具が取付けられる場合に、上側に配置される結露回収具に接続されたホースの下端は、樋内の把持部により把持される。これによりホースは、上側の結露回収具のソケットに接続されるとともに、下側の結露回収具の把持部により把持されることとなり、ホースがふらついたり、上下の結露回収具から脱落したりすることが防止されている。したがって、パイプハウス内でのホースの脱落等が防止されているので、ホースの結露出口端がパイプハウス内に位置することとなるような事態が防止されるので、植物栽培時の弊害（根腐れ等）が確実に防止されることとなる。
【発明を実施するための最良の形態】
【００２２】
以下、本発明の実施の形態を、図１から図３に基づいて説明する。図１は、本発明の一実施の形態における結露回収具の斜視図である。図２は、本発明の一実施の形態における結露回収具の縦断面図である。図３は、本発明の一実施の形態における結露回収具をパイプハウスに取付けた状態を示す図である。図４は、一実施の形態における結露回収具にホースを取付けた状態を示すの平面図である。
【００２３】
本発明の実施の形態における結露回収具Ｋは、図１に示すように、一方の蟻溝フレーム１の端部を抱持する第１抱持部１１と、他方の蟻溝フレーム２を抱持する第２抱持部１２と、第１抱持部１１と第２抱持部１２とを連結する樋１３と、樋１３から延設されるホースＨ２を接続するソケット１４とで構成されている。
【００２４】
以下、詳細に説明すると、第１抱持部１１は、水平底部１１ａと、水平底部１１ａの両端から延設される一対の側壁１１ｂ，１１ｃとで構成され、一方の側壁１１ｂの先端は外方へ向けて彎曲させてあると同時に、一方の蟻溝フレーム１を抱持できるように上記側壁１１ｂ，１１ｃは第１抱持部１１の内方に向けて傾斜させてある。また、第２抱持部１２も同様に、水平底部１２ａと、水平底部１２ａの両端から延設される一対の側壁１２ｂ，１２ｃとで構成され、一方の側壁１２ｂの先端は外方へ向けて彎曲させてあると同時に、他方の蟻溝フレーム２を抱持できるように上記側壁１２ｂ，１２ｃは第２抱持部１２の内方に向けて傾斜させてある。
【００２５】
なお、蟻溝フレーム１，２は、それぞれ、水平底部１ａ，２ａと、水平底部１ａ，２ａの両端から延設される一対の側壁１ｂ，１ｃ，２ｂ，２ｃとで構成され、側壁１ｂ，１ｃ，２ｂ，２ｃの上端は、蟻溝フレーム１，２内に定着されるシートＳを傷つけることが無いように、丸みを帯びさせてあり、さらに、上記側壁１ｂ，１ｃ，２ｂ，２ｃは蟻溝フレーム１，２の内方に向けて傾斜させてある。したがって、蟻溝フレーム１，２は断面略蟻溝状のフレームに形成されている。そして、この蟻溝フレーム１，２内にシートＳを定着するには、図２に示すように、まず、蟻溝フレーム１，２の溝内にシートＳを挿入し、つづいて、蟻溝フレーム１，２内全体に渡りシートＳの上から波形の係止線条３の弾性に抗して強制的に変形せしめて嵌合させる。このとき、上記側壁１ｂ，１ｃ，２ｂ，２ｃはそれぞれ、蟻溝フレーム１，２の内方に向けて傾斜させてあるので、係止線条３は、蟻溝フレーム１，２内から脱落することが防止されるので、シートＳを強固に固定することができる。
【００２６】
そして、第１抱持部１１および第２抱持部１２のそれぞれの側壁１１ｂ，１１ｃ，１２ｂ，１２ｃは、蟻溝フレーム１，２の側壁１ｂ，１ｃ，２ｂ，２ｃの外周に沿うように傾斜させてあり、蟻溝フレーム１，２の端部を、それぞれ第１抱持部１１および第２抱持部１２内に定着する、すなわち、蟻溝フレーム１，２の端部をそれぞれ第１抱持部１１および第２抱持部１２で抱持することが可能となっている。すなわち、第１抱持部１１、第２抱持部１２は、それぞれ、側壁１１ｂ，１１ｃ，１２ｂ，１２ｃで蟻溝フレーム１，２を挟持することができ、これにより、結露回収具Ｋを強固に蟻溝フレーム１，２に固定することが可能となる。
【００２７】
樋１３は、図１に示すように、断面略Ｕ字状に形状され、その図１中左右両端は、それぞれ第１抱持部１１と第２抱持部１２とに連設されている。すなわち、樋１３は、第１抱持部１１と第２抱持部１２とを連結しており、第１抱持部１１および第２抱持部１２の蟻溝フレーム１，２取付方向に対し垂直方向に結露を導くことができるようになっている。なお、樋１３の形状は、結露回収具Ｋの製造を用意とする為に、断面略Ｕ字状とされているが、後述するように上方側に配置される結露回収具から伸びるホースを樋１３に接続することができる形状であれば、たとえば、断面半円状やコ字状等の他の形状とされても良い。
【００２８】
さらに、第１抱持部１１の樋１３側端部近傍から樋１３を介して第２抱持部１２の樋１３側端部近傍にかけて結露回収具Ｋ内方に向けて突出するリブ１３ａが形成され、結露回収具Ｋの強度が補償されている。
【００２９】
また、樋１３の側部には、把持部たる一対の対向する膨出部１３ｂ，１３ｃが形成されており、この膨出部１３ｂ，１３ｃは、図4に示すように、後述するパイプハウス上方に設置済みの結露回収具Ｋから伸びるホースＨ１を把持できるようになっている。
【００３０】
そして、この樋１３の図１中下方端部からはソケット１４が延設されている。このソケット１４は、断面略半円状であって、円筒を半割にした形状、すなわち、半円筒形のソケット本体１４ａと、そのソケット本体１４ａの軸方向に沿う２つの縁部にそれぞれ形成した複数の切欠１４ｂとで構成され、このソケット１４には、結露をパイプハウス外へ導くホースＨ２が接続可能なようになっている。そして、上記切欠１４ｂがホースＨ２内周に係合するので、ホースＨ２のソケット１４からの脱落が防止され、ホースＨ２を確実に結露回収具Ｋに接続した状態に保つことが可能である。なお、切欠１４ｂは、それぞれの縁部に１つ以上設けてあればよく、上記したところでは、それぞれの縁部に二つずつ設けられているがそれ以上設けるとしてもよい。なお、上述したところでは、ソケット本体１４ａの形状を断面略半円状の半円筒形としているが、断面略Ｕ字状の半円筒形としてもよく、また、ホースＨ２を接続することができるような形状とされてもよく、例えば、円筒形等の他の形状としてもよい。また、ソケット本体１４ａを円筒形とする場合には、円筒形の外周に１つまたは複数の段部を設けて、ホースＨ２の脱落防止を図ってもよい。ただし、ソケット本体１４ａを断面略半円もしくは断面略Ｕ字状とする場合には、ソケット本体１４ａ部分の成形が容易となる利点がある。
【００３１】
そして、上述のように構成された結露回収具Ｋは、図２および図３に示すように、蟻溝フレーム１，２に取付けられて使用される。
【００３２】
ここで、結露回収具Ｋを蟻溝フレーム１，２に取付けるには、蟻溝フレーム１，２に対し結露回収具Ｋを僅かに傾けて、他方の側壁１１ｃ，１２ｃをそれぞれ蟻溝フレーム１，２の側壁１ｃ，２ｃに当接させ、そこを支点として、結露回収具Ｋを蟻溝フレーム１，２側に回転させる。すると、側壁１１ｂ，１２ｂは蟻溝フレーム１，２の側壁１ｂ，２ｂの外周に沿って拡開され、すなわち、一方の側壁１１ｂ，１２ｂと他方の側壁１１ｃ，１２ｃとの間の間隔が広げられて、第１抱持部１１内および第２抱持部１２内にそれぞれ蟻溝フレーム１，２が挿入される。蟻溝フレーム１，２が挿入後は、上記一方の側壁１１ｂ，１２ｂと他方の側壁１１ｃ，１２ｃは元の状態に復元し、これにより蟻溝フレーム１，２をそれぞれ第１抱持部１１および第２抱持部１２で強固に抱持することが可能となる。
【００３３】
また、側壁１１ｂ，１２ｂの上端が上述のように彎曲されており、第１抱持部１１内および第２抱持部１２内に蟻溝フレーム１，２をスムーズに挿入することができるので、結露回収具を蟻溝フレームの側方から挿入することにより接続していた従来の結露回収具に比較して、ワンタッチで結露回収具を取付けることができ、その取付が容易となり、また、従来の結露回収具では、あらかじめ、上記取付方法を採らなくてはならず、結露回収具を蟻溝フレームに接続した状態でパイプハウスを組み立てなくてはならなかったが、本実施の形態の結露回収具Ｋにおいては、パイプハウス組立後にも簡易に結露回収具を取付けることが可能となり、作業者の負担も軽減され、さらに、すでに組みつけられた蟻溝フレームの任意の部位を切除してその部位に結露回収具Ｋを取付けることも可能となり、パイプハウスの形状、設置場所による結露状況に適した位置に結露回収具Ｋを設置することができる。すなわち、利便性が飛躍的に向上するのである。したがって、本実施の形態においては側壁１１ｂ，１２ｂのみを彎曲させるとしているが、他方の側壁１１ｃ，１２ｃのみを彎曲させてもよく、さらに、両方の側壁１１ｂ，１１ｃ，１２ｂ，１２ｃを彎曲させておいてもよく、この場合にも、同様の取付方法が可能となる。
【００３４】
そして、上述のように結露回収具Ｋは、蟻溝フレーム１，２に取付けられ、シートＳのパイプハウス内側の面（以下単に面という）に結露した水滴が、ある程度の重量となると、シートＳの上記面を伝って蟻溝フレーム１，２内に侵入する。そして、蟻溝フレーム１，２内に溜まった水滴は、第１抱持部１１および第２抱持部１２内に流れ、さらに、樋１３を介して、ホースＨ２へ導かれパイプハウス外へ排出される。また、雨水が蟻溝フレーム１，２内に侵入しても、上述したように、結露回収具Ｋを介してパイプハウス外へ排出される。したがって、パイプハウス内に結露した水滴や雨水が落下することが無いので、植物の健全な育成が可能となる。
【００３５】
さらに、実際のパイプハウスにあっては、蟻溝フレーム１，２が複数縦方向に並列配置されるが、結露回収具もシート定着装置の列毎に複数設けられることとなる。したがって、結露回収具Ｋも、各列毎に設ける必要があるが、その場合にあっても、図３に示すように、下側の蟻溝フレーム１，２の列に取付けられる結露回収具Ｋ２の樋１３内に、上側の蟻溝フレーム１，２の列に取付けられる結露回収具Ｋ１に接続されたホースＨ１を導入することができる。また、このとき、ホースＨ１の図３中下端部は、樋１３内の膨出部１３ｂ，１３ｃにより把持される。これによりホースＨ１は、結露回収具Ｋ１のソケット１４に接続されるとともに、結露回収具Ｋ２の膨出部１３ｂ，１３ｃにより把持されることとなり、ホースＨ１がふらついたり、結露回収具Ｋ１，Ｋ２から脱落したりすることが防止されている。したがって、パイプハウス内でのホースの脱落等が防止されているので、ホースの結露出口端がパイプハウス内に位置することとなるような事態が防止されるので、植物栽培時の弊害（根腐れ等）が確実に防止されることとなる。
【００３６】
さらに、上述のように、上下に結露回収具Ｋ１，Ｋ２が配置されても、トータルのホース長は、上側に配置される結露回収具Ｋ１からパイプハウス外までの長さで足りることとなる。すなわち、従来の結露回収具では、上述の状況下では、上側の結露回収具からパイプハウス外まで、および下側の結露回収具からパイプハウス外までのトータルの長さのホースが必要となるが、上述のように、本実施の形態の結露回収具にあっては、上側に配置される結露回収具Ｋ１からパイプハウス外までの長さで足りるから、トータルのホース長は短くて済むこととなる。
【００３７】
したがって、結露回収具毎にパイプハウス外まで伸びるホースを取付けざるを得ない従来の結露回収具に比較して、トータルのホース長が短くなるので、経済であるとともに、ホース長が短くなり、さらに、ホースに損傷があって交換の必要があっても、その部分のホースを交換するだけで済むので、ホースのメンテナンス性が向上し、交換に伴うホース長も短くて済むから経済的である。
【００３８】
以上で、本発明の実施の形態についての説明を終えるが、本発明の範囲は図示されまたは説明された詳細そのものには限定されないことは勿論である。
【図面の簡単な説明】
【００３９】
【図１】一実施の形態における結露回収具の斜視図である。
【図２】一実施の形態における結露回収具の縦断面図である。
【図３】一実施の形態における結露回収具をパイプハウスに取付けた状態における図である。
【図４】一実施の形態における結露回収具にホースを取付けた状態を示すの平面図である。
【符号の説明】
【００４０】
１，２  蟻溝フレーム
３    係止線条
１１  第１抱持部
１１ａ，１２ａ  水平底部
１１ｂ，１２ｂ  一方の側壁
１１ｃ，１２ｃ  他方の側壁
１２  第２抱持部
１３  樋
１３ａ  リブ
１３ｂ，１３ｃ  把持部たる膨出部
１４  ソケット
１４ａ  ソケット本体
１４ｂ  切欠
Ｈ，Ｈ１  ホース
Ｋ，Ｋ１，Ｋ２  結露回収具
Ｓ    シート
【図１】
2005124523.tif 000003
【図２】
2005124523.tif 000004
【図３】
2005124523.tif 000005
【図４】
2005124523.tif 000006